(57)【特許請求の範囲】
【請求項１】
情報を表示する表示要素有機ＥＬ素子と、温度を測定するための温度測定用有機ＥＬ素子と、を備え、
前記温度測定用有機ＥＬ素子が、前記表示要素有機ＥＬ素子を組み込む筐体により遮光されていることを特徴とする有機ＥＬ表示装置。
【請求項２】
さらに、照度を測定するための照度測定用有機ＥＬ素子を備えることを特徴とする請求項１に記載の有機ＥＬ表示装置。
【請求項３】
前記表示要素有機ＥＬ素子と前記温度測定用有機ＥＬ素子が同一の有機ＥＬパネルに設けられたことを特徴とする請求項１に記載の有機ＥＬ表示装置。
【請求項４】
前記表示要素有機ＥＬ素子と前記照度測定用有機ＥＬ素子が同一の有機ＥＬパネルに設けられたことを特徴とする請求項２に記載の有機ＥＬ表示装置。
【請求項５】
前記温度用有機ＥＬ素子あるいは前記照度測定用有機ＥＬ素子の測定結果に基づいて補正データを作成する補正データ発生回路と、前記補正データと表示データに応じた駆動波形を前記表示要素有機ＥＬ素子に印加する駆動回路と、を備えることを特徴とする請求項１乃至４のいずれかに記載された有機ＥＬ表示装置。
【請求項６】
表示要素有機ＥＬ素子を組み込む筐体により遮光されている温度測定用有機ＥＬ素子に電圧を加えて電流値を測定することにより前記温度測定用有機ＥＬ素子の温度を測定し、前記測定の結果に基づいて前記表示要素有機ＥＬ素子の発光強度を補正することを特徴とする有機ＥＬ素子の駆動方法。
【請求項７】
光が照射されている状態の照度測定用有機ＥＬ素子に電圧を加えて電流値を測定することにより前記照度測定用有機ＥＬ素子に照射されている光強度を測定し、前記測定の結果に基づいて前記表示要素有機ＥＬ素子の発光強度を補正することを特徴とする請求項６記載の有機ＥＬ素子の駆動方法。
【請求項８】
前記照度測定用有機ＥＬ素子に加える前記電圧が逆バイアスであることを特徴とする請求項７に記載の有機ＥＬ素子の駆動方法。
【請求項９】
光が照射されている状態の照度測定用有機ＥＬ素子に電圧を加えて測定した電流値と、外光が照射されていない状態の温度測定用有機ＥＬ素子に電圧を加えて測定した電流値との差を光強度として表示用有機ＥＬ素子の発光強度を補正することを特徴とする有機ＥＬ素子の駆動方法。
【発明の詳細な説明】
【０００１】
【発明の属する技術分野】
本発明は有機ＥＬ素子を有する有機ＥＬ表示装置、及び有機ＥＬ素子の駆動方法に関し、有機ＥＬパネルの置かれる外部環境により表示エレメントの発光強度を変えて、常に最適な発光強度で表示するための補正回路に関するものである。
【０００２】
【従来の技術】
従来の有機ＥＬ素子駆動方法のブロック図を図５に示す。また、図６は従来の有機ＥＬ表示モジュールの外観を示す平面図である。図５の温度センサー５１から温度情報、照度センサー５２から外部の照度情報が検出回路５３へ供給され、検出回路５３ではアナログで送られてくる温度情報、照度情報をデジタルデータに変換して補正データ発生回路５４へ送られる。補正データ発生回路５４では、検出データと有機ＥＬ素子の特性から予め決められた演算処理により発光輝度を決定し補正データとして駆動回路５５へ供給される。 駆動回路５５は補正データと表示データより駆動波形を発生し有機ＥＬパネル５６へ印加する。
【０００３】
図６に示すように、従来では温度センサー６４と光センサー６５が有機ＥＬパネル６２とは別に用意され、有機ＥＬ表示モジュール６１内に設置されている。 温度センサー６４にはサーミスタ、熱電対等、照度センサーにはフォトダイオード、フォトトランジスタ等が用いられる。また、検出回路５３、補正データ発生回路５４、駆動回路５５は有機ＥＬ表示モジュール６１の背面に置かれる。
【０００４】
以上のような構成により、有機ＥＬパネル５６は温度及び外部の照度で補正された輝度で発光し、明るい場所では明るく発光して、暗い場所では眩しくない程度に発光させることができる。
【０００５】
【発明が解決しようとする課題】
表示器として発光表示パネルを用いる場合、使用する環境により同じ発光輝度でも異なって見える。 太陽光などの強い外光の中では発光輝度を上げ、暗室などの暗い部屋の中では発光輝度を下げることにより見やすく奇麗な表示をさせる事ができる。また、腕時計など携帯機器の表示器においては、電池駆動のため、小型・ローパワーが要求され、使用する環境により適度な発光輝度にすることにより余分な電力を使わずにすむ。そのため、従来の構成及び方法では、照度センサー６５、温度センサー６４を有機ＥＬパネル６２や駆動回路５５とは別に設けていた。そのため、有機ＥＬ表示モジュール６１が大きくなってしまい高価なものとなってしまい、 また、センサーが有機ＥＬパネルと別に置かれているため誤差が生じる可能性がある、という問題があった。
【０００６】
【課題を解決するための手段】
本発明の有機ＥＬ素子の駆動方法においては、上記課題を解決する手段として有機ＥＬ素子に一定の電圧を加えたときの電流値を測定することにより有機ＥＬパネルに照射されている光強度および有機ＥＬパネルの温度を測定する。ここで得られた情報を元に駆動回路において有機ＥＬパネルの発光輝度を最適に調整する。これにより、外部センサーを使わずに照度の異なる環境においても見やすく奇麗な表示をさせる事ができる。
【０００７】
【発明の実施の形態】
以下に、本発明による有機ＥＬ表示装置及び有機ＥＬ素子の駆動方法の実施の形態を説明する。
すなわち、本発明による有機ＥＬ表示装置は、情報を表示する表示要素有機ＥＬ素子と、温度または照度を測定するための測定用有機ＥＬ素子と、を備えることとした。そして、測定用有機ＥＬ素子が測定した温度または照度に基づいて有機ＥＬ表示装置の発光強度を補正することにより、周囲の環境に応じて発光輝度を調整することが可能になる。
【０００８】
ここで、測定用有機ＥＬ素子として温度を測定するための温度測定用有機ＥＬ素子と照度を測定するための照度測定用有機ＥＬ素子とを共に搭載し、前述のように有機ＥＬ表示装置の発光強度を補正すれば、周囲の環境（温度、明るさ）における最適な輝度の表示を行うことが可能になる。また、表示に用いる有機ＥＬ素子と測定用有機ＥＬ素子を同一の有機ＥＬパネル内に設けることもできる。
【０００９】
【実施例】
本発明の有機ＥＬ素子の駆動方法のブロック図を図1に示す。有機ＥＬパネル１４に設けられた温度及び照度測定用の有機ＥＬ素子に一定の電圧を加えたときの電流値を測定することにより温度情報及び照度情報を電流検出回路１３は受け取り補正データ発生回路１１に伝える。
【００１０】
補正データ発生回路１１は電流検出回路１３より得られたデータと予め設定された照度と発光輝度の関係から補正データを駆動回路１２に伝える。駆動回路１２は補正データと表示データより駆動波形を発生させ有機ＥＬパネル１４に印加することにより外部環境に合った最適な輝度で発光させる。
有機ＥＬ素子に逆バイアスで５Ｖを印加して、電流値を測定した結果を表１に示す。
【００１１】
【表１】
0003792950.tif 000002
【００１２】
本発明に関わる有機ＥＬパネル２１の平面図を図２に示す。有機ＥＬパネル２１には、比較的大きな８字形状の７セグメント表示要素２２が左側に４桁、比較的小さな８字形状の７セグメント表示要素が右側に２桁設けられている。この左側の４桁で時刻の時分を表示し、右側の２桁で秒の表示を行う時計表示用の発光表示パネルである。また、７セグメント表示要素２２以外に照度測定用ＥＬ素子２３が見切り内、温度測定用ＥＬ素子２４が筐体またはモジュールの外枠で遮光される位置に設けられている。
【００１３】
図３に本発明の有機ＥＬ素子駆動方法の具体例を説明する回路図を示す。表示用ＥＬ素子３０２の端子にはスイッチ３０３、３０４が取り付けられ、駆動回路３０９とＧＮＤ間に接続して表示を行う状態とＶｃｃと電流検出回路３０１に接続して照度を測定する状態に切り替えられる。 本実施例では、５Ｖ程度の高い電圧で測定できるため逆バイアスで印加しているが、発光しない程度の電圧であれば順バイアスでも構わない。
【００１４】
電流検出回路３０１ではスイッチ３０３が抵抗３０５に接続され、抵抗３０５の両端の電圧を検出することにより電流値を測定する。 具体的には抵抗３０５の両端の電圧を電圧増幅回路３０６で増幅後、Ａ／Ｄコンバータ３０７でデジタルデータに変換して検出データとして出力する。
補正データ発生回路３０８では電流検出回路３０１で検出されたデータと予めＲＯＭ等で用意された照度と有機ＥＬ素子３０２の最適な発光輝度の関係から発光輝度を決定して、その補正データを駆動回路３０９に出力する。
【００１５】
駆動回路３０９では補正データと表示データから駆動波形を作り表示用ＥＬ素子３０２を発光させる。 また発光させている間はスイッチ３０３が駆動回路３０９にスイッチ３０４がＧＮＤに接続されている。
同期信号発生回路３１０は、スイッチ３０３、３０４、Ａ／Ｄコンバータ３０７、補正データ発生回路３０８および駆動回路３０９に必要な同期信号を発生し供給している。
【００１６】
図４は本発明の有機ＥＬ素子駆動方法の別の具体例を説明するための回路図である。 有機ＥＬパネル４０２には表示用ＥＬ素子４０３の他に照度測定用ＥＬ素子４０４と温度測定用ＥＬ素子４０５が同一の工程で作成され、温度測定用ＥＬ素子４０５は筐体または外枠等で遮光される位置に作成する。
電流検出回路４０１ではスイッチ４０６が照度測定用ＥＬ素子４０４と温度測定用ＥＬ素子４０５に接続され、温度と照度を切り替えて測定できるようになっている。具体的には最初にスイッチ４０６が照度測定用ＥＬ素子４０４に接続され、抵抗４０７の両端の電圧を電圧増幅回路４０８で増幅後、Ａ／Ｄコンバータ４０９でデジタルデータに変換して温度誤差が含まれた照度データとして出力される。 次にスイッチ４０６が温度測定用ＥＬ素子４０５に接続され同様の測定をして温度データとして出力される。
【００１７】
補正データ発生回路４１０では電流検出回路４０１で検出された照度データより温度データを引いて照度データとし、最適な発光輝度を決定してその補正データを駆動回路４１０に出力する。 照度と最適発光輝度、温度と発光輝度の関係は前例と同様に予めＲＯＭ等で用意される。
駆動回路４１０では補正データと表示データから駆動波形を作り表示用ＥＬ素子４０３を発光させる。同期信号発生回路４１２はスイッチ４０６、Ａ／Ｄコンバータ４０９、補正データ発生回路４１０、駆動回路４１１に必要な同期信号を発生し供給している。
【００１８】
ここで、電流測定方法として抵抗を挿入して電圧を測定する以外の方法でもよい。また、Ａ／Ｄ、補正データ発生回路、駆動回路はデジタルで処理する以外にアナログで処理しても構わない。
【００１９】
【発明の効果】
本発明の有機ＥＬ素子駆動方法を用いる事により、外付けセンサーを用いずに外部環境に合わせた発光輝度で表示させることができ、小型、軽量で見やすい表示が可能な有機ＥＬ表示モジュールを提供できる。 このため、腕時計などの、小型・ローパワー・ローコスト・ファッション性が要求される製品に用いると製品としての完成度を高める事ができ、本発明を用いる事による効果は大きい。
【図面の簡単な説明】
【図１】本発明の有機ＥＬ素子駆動方法のブロック図
【図２】図１の有機ＥＬ素子駆動方法で駆動する有機ＥＬパネルの平面図
【図３】本発明の有機ＥＬ素子駆動方法を説明するための回路図
【図４】本発明の別の有機ＥＬ素子駆動方法を説明するための回路図
【図５】従来例を示すブロック図
【図６】従来例を示す有機ＥＬ表示モジュールの平面図
【符号の説明】
１１、３０８、４１０、５４    補正データ発生回路
１２、３０９、４１１、５５    駆動回路
１３、３０１、４０１    電流検出回路
１４、２１、４０２、５６、６２    有機ＥＬパネル
２２、３０２、４０３、６３    表示用ＥＬ素子
２３、４０４    照度測定用ＥＬ素子
２４、４０５    温度測定用ＥＬ素子
３０３、３０４、４０６    スイッチ
３０５、４０７    抵抗
３０６、４０８    電圧増幅回路
３０７、４０９    Ａ／Ｄコンバータ
３１０、４１２    同期信号発生回路
３１１、４１３    ＣＰＵ
５１、６４    温度センサー
５２、６５    照度センサー
５３    検出回路
６１    有機ＥＬ表示モジュール
【図１】
0003792950.tif 000003
【図２】
0003792950.tif 000004
【図３】
0003792950.tif 000005
【図４】
0003792950.tif 000006
【図５】
0003792950.tif 000007
【図６】
0003792950.tif 000008